(57)【要約】【課題】装置の大型化や電力消費量の増大等を招くことなく、搭載した太陽電池を効率良く発電することができる携帯端末装置及び携帯端末装置に搭載した太陽電池の充電方法を提供する。【解決手段】筐体に、太陽電池、撮像装置、表示手段、及び複数の発光素子を含む操作手段を備えた携帯端末装置において、太陽電池１６の受光方向がカメラ１７の撮像方向と同一方向になるように、太陽電池１６を筐体に配置し、表示部１４の、複数の領域に分割された各表示領域を、操作キーの各発光素子に対応付けた対応情報を記憶するメモリ部２０と、カメラ１７が撮影した太陽像が、表示部１４のどの表示領域に該当するかを判定し、メモリ部２０の対応情報に基づいて、当該表示領域に対応する発光素子を発光制御する制御部２１とを有する。【選択図】図１
2008085797.tif 000002
【特許請求の範囲】
【請求項１】
筐体に、太陽電池、撮像装置、表示手段、及び複数の発光素子を含む操作手段を備えた携帯端末装置において、
前記太陽電池の受光方向が前記撮像装置の撮像方向と同一方向になるように、前記太陽電池を前記筐体に配置し、
前記表示手段の、複数の領域に分割された各表示領域を、前記操作手段の各発光素子に対応付けた対応情報を記憶する記憶手段と、
前記撮像装置が撮影した太陽像が、前記表示手段のどの表示領域に該当するかを判定し、前記記憶手段の対応情報に基づいて、当該表示領域に対応する前記発光素子を発光制御する制御手段と
を有することを特徴とする携帯端末装置。
【請求項２】
前記制御手段は、前記撮像装置が減光フィルタを介して出力した画像に基づいて判定することを特徴とする請求項１に記載の携帯端末装置。
【請求項３】
前記制御手段は、前記撮像装置が撮像した画像を二値化処理した情報に基づいて判定することを特徴とする請求項１に記載の携帯端末装置。
【請求項４】
携帯端末装置の筐体に、太陽電池、及び撮像方向を前記太陽電池の受光方向と同一方向に向けた撮像装置を配置し、
表示手段を複数に分割した表示領域のそれぞれを、操作手段に配置された複数の発光素子のそれぞれに対応付けた対応情報に基づき、前記撮像装置が撮影した太陽像が、前記表示手段のどの表示領域に該当するかを判定し、
判定結果から、当該表示領域に対応する発光素子を発光させ、発光した発光素子の位置により、太陽に対する前記太陽電池の向きを確認することを特徴とする携帯端末装置に搭載した太陽電池の充電方法。
【発明の詳細な説明】
【技術分野】
【０００１】
本発明は、携帯端末装置及び携帯端末装置に搭載した太陽電池の充電方法に関し、特に、太陽電池と共に撮像装置を備えた携帯端末装置及び携帯端末装置に搭載した太陽電池の充電方法に関する。
【背景技術】
【０００２】
従来、ＧＰＳ機能で計測した位置、進行方向、時刻から、端末と太陽の位置を割り出し、最も発電効率の高くなるように太陽電池の向きを制御する「太陽光発電装置」（特許文献１参照）が知られている。
この「太陽光発電装置」は、太陽からの光を電気エネルギーに変換する太陽電池と、太陽電池の向きを制御する制御装置と、衛星からの信号を受信して位置、時刻等を測定するＧＰＳ受信機と、ＧＰＳ受信機が測定した位置、時刻等から太陽の位置を算出し、最も発電効率が高くなるように太陽電池の向きを制御するＣＰＵとを備えている。
【特許文献１】特開平０９−１４００５２号公報
【発明の開示】
【発明が解決しようとする課題】
【０００３】
しかしながら、従来の「太陽光発電装置」においては、ＧＰＳ機能で位置測定する場合、端末のみでリアルタイム処理ができずにホスト側に送信して処理を実施する。従って、この「太陽光発電装置」を移動機に備えた場合、移動等で受信状況が刻々と変化するため、受信状態が悪い状況下ではＧＰＳを起動できずに位置計測が不可能な場合がある。
なお、携帯電話装置において搭載した太陽電池の向きを自動制御することは、装置内に駆動部や制御回路を備える必要があり、携帯電話装置の大型化や電力消費量の増大等を招くので実現が困難である。また、災害時に輻輳等で通信回線に接続できない場合や、地方や山岳部で通信圏外の場合でも、携帯端末装置の高機能化により携帯端末装置を利用して得られる情報は非常に多く、効率良く太陽電池で充電することは非常に有効である。
【０００４】
本発明の目的は、装置の大型化や電力消費量の増大等を招くことなく、搭載した太陽電池を効率良く発電することができる携帯端末装置及び携帯端末装置に搭載した太陽電池の充電方法を提供することである。
【課題を解決するための手段】
【０００５】
上記目的を達成するため、本発明に係る携帯端末装置は、筐体に、太陽電池、撮像装置、表示手段、及び複数の発光素子を含む操作手段を備えた携帯端末装置において、前記太陽電池の受光方向が前記撮像装置の撮像方向と同一方向になるように、前記太陽電池を前記筐体に配置し、前記表示手段の、複数の領域に分割された各表示領域を、前記操作手段の各発光素子に対応付けた対応情報を記憶する記憶手段と、前記撮像装置が撮影した太陽像が、前記表示手段のどの表示領域に該当するかを判定し、前記記憶手段の対応情報に基づいて、当該表示領域に対応する前記発光素子を発光制御する制御手段とを有することを特徴としている。
【０００６】
また、本発明は、前記制御手段が、前記撮像装置が減光フィルタを介して出力した画像に基づいて判定することが好ましい。
また、本発明は、前記制御手段が、前記撮像装置が撮像した画像を二値化処理した情報に基づいて判定することが好ましい。
【０００７】
また、本発明に係る携帯端末装置に搭載した太陽電池の充電方法は、携帯端末装置の筐体に、太陽電池、及び撮像方向を前記太陽電池の受光方向と同一方向に向けた撮像装置を配置し、表示手段を複数に分割した表示領域のそれぞれを、操作手段に配置された複数の発光素子のそれぞれに対応付けた対応情報に基づき、前記撮像装置が撮影した太陽像が、前記表示手段のどの表示領域に該当するかを判定し、判定結果から、当該表示領域に対応する発光素子を発光させ、発光した発光素子の位置により、太陽に対する前記太陽電池の向きを確認することを特徴としている。
【発明の効果】
【０００８】
本発明によれば、装置の大型化や電力消費量の増大等を招くことなく、搭載した太陽電池を効率良く発電することができる。
【発明を実施するための最良の形態】
【０００９】
以下、本発明を実施するための最良の形態について図面を参照して説明する。
図１は、本発明の一実施の形態に係る端末装置の充電状態を示し、（ａ）は表示画面側から見た斜視図、（ｂ）は太陽電池側から見た斜視図である。図１に示すように、例えば、携帯電話機である携帯端末装置１０は、表示部側筐体（第１筐体）１１と、キー側筐体（第２筐体）１２を備えており、表示部側筐体１１とキー側筐体１２は、それぞれの一端部がヒンジ部１３を介して連結されることにより、自在に相互開閉することができる、折り畳み式構造を有している。ヒンジ部１３は、表示部側筐体１１とキー側筐体１２の成す開放角度αが０度（収納状態）〜１６０度（開放状態）の範囲であれば、任意の角度で両筐体１１，１２を保持することができる。
【００１０】
表示部側筐体１１には、筐体開時に露出する筐体表面（内面側）に、液晶表示装置（Ｌｉｑｕｉｄ  Ｃｒｙｓｔａｌ  Ｄｉｓｐｌａｙ：ＬＣＤ）等の表示部（表示手段）１４が、キー側筐体１２には、筐体開時に露出する筐体表面に、発光ダイオード（Ｌｉｇｈｔ  Ｅｍｉｔｔｉｎｇ  Ｄｉｏｄｅ：ＬＥＤ）等の発光素子で照明することができる、複数の操作キー（操作手段）からなるキー操作部１５が、それぞれ配置されている（（ａ）参照）。
また、表示部側筐体１１には、筐体背面（背面側）に、背面の略全域を覆う太陽電池１６とカメラ（撮像装置）１７が、それぞれ配置されている（（ｂ）参照）。太陽電池１６は、その受光方向が、カメラ１７の撮像方向と同一方向になるように、筐体に配置されている。ここで、同一方向については、尚、完全に同一の方向、若しくは、筐体の組み立てにおける、多少の方向のずれは含むものとする。組み立て時や部材等に起因する精度に係る誤差は、当然の如く容認されるべきものである。尚、太陽電池の受光面（方向）は、以下、太陽電池１６と同じものとして説明する。
【００１１】
カメラ１７の前段には、カメラレンズの表面を覆うことができる可動式のＮＤ（Ｎｅｕｔｒａｌ  Ｄｅｎｓｉｔｙ）フィルタ（図示しない）が取り付けられている。開放角度αが０〜９０の範囲（０＜α＜９０）で両筐体１１，１２が一定時間保持されると、カメラレンズの表面がＮＤフィルタにより覆われたフィルタ挿入状態となり、カメラ１７が起動する。
【００１２】
図２は、図１の携帯端末装置の構成を示すブロック図である。図２に示すように、携帯端末装置１０は、通信回線用のアンテナ部１８、無線部１９、ユーザデータ等を保存するメモリ部（記憶手段）２０、各部の制御を行う制御部（制御手段）２１、両筐体１１，１２の開放角度を検知する開放角度検知部２２、情報やデータを表示する表示部１４、キー操作部１５からの各種の入力に対応する入力操作部２３、電源回路に接続された太陽電池１６、画像を取り込むためのカメラ１７、ＮＤフィルタを操作するフィルタ部２４、及びキー操作部１５を照明するためにＬＥＤを点灯するＬＥＤ照明部２５を備えている。
メモリ部２０は、表示部１４の複数の領域に分割された各表示領域を、操作キーの各発光素子に対応付けた対応情報を記憶している。制御部２１は、カメラ１７が撮影した太陽像が、表示部１４のどの表示領域に該当するかを判定し、メモリ部２０の対応情報に基づいて、当該表示領域に対応する発光素子を発光制御する。
【００１３】
また、制御部２１は、開放角度αに応じてフィルタ部２４を制御し、ＮＤフィルタを挿入状態或いは未挿入状態にするフィルタ挿入制御部２６を有している。
カメラ１７は、通常のカメラ撮影に使用するのに加え、太陽電池１６の太陽に対する向きを調整する際に、太陽を含む画像を取り込んで表示部１４に表示させる目的で使用する。太陽の画像を取り込む際に、太陽画像を直接取り込むと光量が強すぎて真っ白な画面（オーバフロー状態）になるため、太陽画像を取り込む状況、つまり、ユーザが太陽電池１６で充電する状況を、開放角度αに応じて予め割り当てておき、開放角度検知部２２が特定の開放角度を検知した場合に限り、ＮＤフィルタを自動挿入してカメラ１７を起動させる。
【００１４】
開放角度αを、０〜９０度の範囲（０＜α＜９０）にある状態から、それ以外に変更した場合は、カメラ機能が停止して通常の待ち受け状態に戻る。また、着呼があって、開放角度αを０〜９０度の範囲以外に変更した場合は、着呼応答するようにしても良い。
図３は、カメラが取り込んだ太陽の画像と操作キーの照明を関係付けたイメージを示し、（ａ）はカメラ画像の説明図、（ｂ）は操作キーの照明状態の説明図である。図３に示す場合は、カメラ１７のレンズ中心に太陽が位置する状態（（ａ）参照）であり、キー操作部１５の５番操作キーが、ＬＥＤにより点灯若しくは点滅している（（ｂ）参照）。この状態が、太陽光により太陽電池１６を最も効率よく充電することができ、カメラ１７の向きが理想的であることを示している。
なお、カメラ画像（（ａ）参照）は、カメラ１７の撮影範囲に対する太陽の位置を携帯端末装置１０の内部で算出するために使用し、表示部１４に表示する必要はない。従って、開放角度αが０〜９０度の範囲でカメラ１７が起動した場合、表示部１４は、電力消費を抑えるために表示ＯＦＦの状態が望ましい。
【００１５】
図４は、カメラが取り込んだ太陽の画像と操作キーの照明を関係付けたイメージ及び開放角度を示し、（ａ）はカメラ画像の説明図、（ｂ）は操作キーの照明状態の説明図、（ｃ）は開放角度の説明図である。図４に示す場合は、カメラ１７が、実際の太陽の位置より上側に向いている状態（（ａ）参照）であり、キー操作部１５の０番操作キーが、ＬＥＤにより点灯若しくは点滅している（（ｂ）参照）。そこで、両筐体１１，１２が成す開放角度αが大きくなるように、表示部側筐体１１を、キー側筐体１２に対し更に離反させる（（ｃ）白抜き矢印参照）。
【００１６】
図５は、カメラが取り込んだ太陽の画像と操作キーの照明を関係付けたイメージ及び回転角度を示し、（ａ）はカメラ画像の説明図、（ｂ）は操作キーの照明状態の説明図、（ｃ）は回転角度の説明図である。図５に示す場合は、カメラ１７が、実際の太陽の位置より左側に向いている状態（（ａ）参照）であり、キー操作部１５の６番操作キーが、ＬＥＤにより点灯若しくは点滅している（（ｂ）参照）。そこで、カメラ１７のレンズ中心に太陽が位置するように（図３（ａ）参照）、カメラ１７を右側に向かせるため、携帯端末装置１０自体の回転角度θを調整する（（ｃ）白抜き矢印参照）。
【００１７】
以下に、カメラ１７が取り込んだ太陽の画像に対する簡単な調整手順を示す。
先ず、携帯端末装置１０のユーザは、太陽光の元で携帯端末装置１０を開いて表示部側筐体１１を開放した状態にする。この開放角度αは、太陽電池１６が太陽の方向を向く角度が望ましく、例えば、東京（北緯３５度）であれば、最も太陽が高く上がる夏至の南中高度が約７８．４度であるから、０〜９０度の範囲を想定すれば十分である。
次に、ユーザは、携帯端末装置１０のキー側筐体１２を、例えば、机上に置き、太陽電池１６が太陽の方向を向くように、携帯端末装置１０の回転角度θと開放角度αの大まかな調整を行う。調整と同時、若しくは数秒後に、ＮＤフィルタを挿入した状態でカメラ１７が自動的に起動し、カメラ１７が撮影した太陽の画像情報に基づき携帯端末装置１０によって算出された太陽像の位置が、キー操作部１５の対応する操作キーのＬＥＤを点灯することで、ユーザに報知される。
【００１８】
ユーザは、ＬＥＤが点灯した操作キーを見ながら、カメラ１７のレンズ中心に太陽が位置する状態に対応する５番操作キーのＬＥＤが点灯するように（図３参照）、回転角度θと開放角度αの微調整を行う。
調整完了後、ユーザは、ＬＥＤを消灯させる機能を割り当てた操作キー（調整完了キー）を押下して、或いは所定時間で自動的にＬＥＤを消灯させて、無駄な電力消費を防止する。ＬＥＤを消灯することで、無駄な電力を消費することなく効率良く、電源回路を介してバッテリへ充電することができる。
【００１９】
図６は、図１の携帯端末装置において太陽電池の向きを調整する処理の手順を示すフローチャートである。図６に示すように、先ず、ユーザが、携帯端末装置１０を開いて表示部側筐体１１を開放した状態にする（ステップＳ１０１）。筐体の開放により、両筐体１１，１２が一定の開放角度αで保持されると、開放角度検知部２２により、現在の開放角度αが０〜９０度の範囲（０＜α＜９０）にあるか否かを判断する（ステップＳ１０２）。
ステップＳ１０２の判断の結果、開放角度αが０〜９０度の範囲にない（ｎｏ）場合、通常の一般的な携帯電話機の操作と判断して処理を終了し、その後のユーザ操作に従う。一方、開放角度αが０〜９０度の範囲にある（ｙｅｓ）場合、即ち、その開放角度αで保持された場合、開放角度監視タイマが起動し（ステップＳ１０３）、開放角度αに変化がないか否かを判断する（ステップＳ１０４）。即ち、開放角度監視タイマの起動中は、開放角度検知部２２により開放角度αに変化がないかの確認を継続的に行う。
【００２０】
次に、ステップＳ１０４の判断の結果、開放角度αに変化がある（ｎｏ）場合、ステップＳ１０２へ戻る。つまり、タイマ起動中に開放角度αが変化した場合、変化後に保持された開放角度αが０〜９０度の範囲にあるか否かの判断を再度行い、判断結果に基づき以後の処理に従う。一方、開放角度αに変化がない（ｙｅｓ）場合、タイムアウトしたか否かを判断する（ステップＳ１０５）。
ステップＳ１０６の判断の結果、タイムアウトしない（ｎｏ）場合、ステップＳ１０４へ戻り、タイムアウトした（ｙｅｓ）場合、ＮＤフィルタが挿入され（ステップＳ１０６）、その後、カメラ１７が起動する（ステップＳ１０７）。つまり、開放角度αが変化せずに、タイマがタイムアウトした場合は、ユーザが太陽電池１６を太陽の方向に向けて充電すると判断し、太陽を含む画像を取り込んでＬＥＤに表示できるように、ＮＤフィルタを挿入しカメラ１７を起動する。
【００２１】
ここで、ＮＤフィルタ挿入状態でのカメラ起動をタイマ式にしたのは、表示部側筐体１１の開放動作の途中でカメラ１７が起動することを防ぐためである。具体的なタイマ設定時間としては、従来の開放角度αが０から９０度の範囲で使用する状況は考え難く、開放角度αが０〜９０度の範囲では太陽電池１６の充電を目的としていることが明らかであるため、数秒〜５秒程度で十分と考えられる。
次に、カメラ１７を介して取り込んだ画像から太陽の位置が算出され、算出された太陽像の位置に相当する、操作キーのＬＥＤが点灯する（ステップＳ１０８）。ユーザは、ＬＥＤにより照明された操作キーを見ながら、５番操作キーのＬＥＤが点灯するように、携帯端末装置１０の回転角度θと開放角度αの調整を行う。
【００２２】
一方、最初にＬＥＤが点灯すると同時に、消灯用タイマが起動し（ステップＳ１０９）、所定時間中に点灯する操作キーの位置に変化がないか否かを監視する（ステップＳ１１０）。監視の結果、点灯位置に変化があった（ｎｏ）場合、ステップＳ１０９へ戻り、即ち、消灯用タイマがリセットされてカウントが再スタートし、点灯位置に変化がない（ｙｅｓ）場合、消灯用タイマがタイムアウトしたか否かを判断する（ステップＳ１１１）。
消灯用タイマがタイムアウトしない（ｎｏ）場合、ステップＳ１１０へ戻り、消灯用タイマがタイムアウトした（ｙｅｓ）場合、ユーザの調整が終了したと判断して、操作キーの照明を消灯し（ステップＳ１１２）、その後処理を終了する。
【００２３】
ここで、点灯する操作キーの位置に変化がないか否かを監視する（ステップＳ１１０）には、回転角度θと開放角度αを検知すればよく、回転角度θにはＧＰＳ用の地磁気センサを利用し、開放角度αには３軸の加速度センサを搭載することで、容易に実現可能である。また、太陽像に対応する操作キーのＬＥＤの場所が所定時間超過しても変化がない場合に、ステップＳ１１０の変化なしと判断しても良い。
図７（ａ）〜（ｇ）は、回転角度θと開放角度αの微調整を行った際に、操作キーの照明が推移する様子を示す、操作キーの照明状態の説明図である。図７に示すように、例えば、＃操作キーが点灯している状態（（ａ）参照）を、カメラ１７が起動した直後、即ち、最初の点灯状態とする。この状態から、先ず、開放角度αが大きくなるように、表示部側筐体１１を起こしていくと、＃操作キーと９番操作キーが点滅（（ｂ）参照）、続いて、９番操作キーが点灯（（ｃ）参照）、続いて、９番操作キーと６番操作キーが点滅（（ｄ）参照）、続いて、６番操作キーが点灯する（（ｅ）参照）。
【００２４】
即ち、＃操作キー（（ａ）参照）→６番操作キー（（ｅ）参照）へと照明が移動する。ここで、点灯は、太陽像の位置に相当する操作キーが１個の場合であり、点滅は、太陽像の位置に相当する操作キーが複数個に跨っているとき、つまり、点滅している操作キーの中間位置に太陽像が相当していることを示している。この点滅の移動により、ユーザは、調整方向が視覚的に判断できるため、短時間での調整が可能になる。
そして、６番操作キー点灯している状態（（ｅ）参照）では、開放角度αが最適な角度にあることを示しているので、その後、回転角度θを調整していくと、６番操作キーと５番操作キーが点滅（（ｆ）参照）、続いて、５番操作キーが点灯（（ｇ）参照）する。即ち、６番操作キー（（ｅ）参照）→５番操作キー（（ｇ）参照）へと照明が移動する。当然、５番操作キーのみが点灯しているとき、携帯端末装置１０が太陽電池１６の充電に最適な状態にあることを示す。
【００２５】
ここでは、太陽電池の向きを調整する際の調整状態を、操作キーの点灯と点滅の組み合わせにより示したが、これに限らず、例えば、操作キーの輝度や色相の変化で示してもよい。
なお、複数の領域に分割したキー操作部１５の各操作キー（例えば、＃操作キーや９番操作キー）、即ち、表示部の各表示領域は、各操作キーの各ＬＥＤに対応付けて、メモリ部２０に記憶されている。
【００２６】
次に、カメラ１７の周辺部の構造を説明する。
図８は、フィルタが挿入されていない状態のカメラ周辺部の構造を概略的に説明する斜視図である。図８に示すように、カメラ１７を形成するカメラモジュール２７は、磁性デバイス２８と共に回路基板２９上に実装されている。カメラモジュール２７の上部には、フレームが磁性体で形成されたフィルタ３０が配置してあり、フィルタ３０は、ガイドレール３１に沿って摺動する。フィルタ３０は、弾性部材（図示しない）により、常に、一定方向（図中、Ａ参照）に付勢されており、通常は、カメラモジュール２７の光軸から外れた状態であるが、開放角度αが０〜９０度の範囲でカメラ１７が起動する場合に限り、フィルタ３０が、磁力によって付勢方向とは逆向きの方向（図中、Ｂ参照）に移動し、光軸上に挿入される。
【００２７】
図９は、太陽電池の発電量と角度ずれの関係をグラフで示す説明図である。この説明図は、縦軸に発電量、横軸に角度ずれをとり、最大発電量を１とした場合の角度ずれの影響を示している。
図９に示すように、一般的な携帯端末装置用の単焦点カメラで水平画角５６度を想定した場合、表示部１４の中央に太陽像が形成される場合と、表示部１４の端部に太陽像が形成される場合では、約２８度の角度ずれが生じている。そして、２８度の角度ずれで発電量が約１５％低下することが分かる。従って、太陽電池１６の充電に際し、太陽電池１６を太陽に対し最適な角度で配置することが非常に有効であることが分かる。
このように、太陽光により太陽電池１６を充電する際に、ユーザは、発電効率の良い状態を確認することができるので、携帯端末装置１０の傾きや位置等を調整して最も効率の良い充電状態にすることができる。
【００２８】
この結果、ＧＰＳ機能による現在の位置情報入手や太陽の方位を計算により割り出す必要がなく、容易に、最も発電効率が良くなるように太陽電池（携帯端末装置）の向きを調整することができる。
また、ユーザが目視や感覚で太陽電池（携帯端末装置）の向きを合わせる場合は、現在の向きが太陽電池の発電に最適であるかの判断ができないが、仮に、携帯端末装置に発電量の表示機能等があれば、実際の発電量を見ながら向きを調整することは可能である。しかし、緯度／経度の二方向を調整することは時間もかかり面倒である。これに対し、本発明によれば、ユーザは明確に最適な向きを判断できるため安心であり、且つ、短時間で調整が可能である。
【００２９】
更に、災害時に輻輳等で通信回線に接続できない場合や、地方や山岳部で通信圏外の場合でも、携帯端末装置の高機能化により携帯端末装置を利用して得られる情報は非常に多いことから、携帯端末装置を効率良く太陽電池で充電することができるのは非常に有効である。
なお、本発明は、上述した実施の形態により説明したが、この実施の形態に限定されるものではない。従って、本発明の趣旨を逸脱することなく変更態様として実施するものも含むものである。
【図面の簡単な説明】
【００３０】
【図１】本発明の一実施の形態に係る端末装置の充電状態を示し、（ａ）は表示画面側から見た斜視図、（ｂ）は太陽電池側から見た斜視図である。
【図２】図１の携帯端末装置の構成を示すブロック図である。
【図３】カメラが取り込んだ太陽の画像と操作キーの照明を関係付けたイメージを示し、（ａ）はカメラ画像の説明図、（ｂ）は操作キーの照明状態の説明図である。
【図４】カメラが取り込んだ太陽の画像と操作キーの照明を関係付けたイメージ及び開放角度を示し、（ａ）はカメラ画像の説明図、（ｂ）は操作キーの照明状態の説明図、（ｃ）は開放角度の説明図である。
【図５】カメラが取り込んだ太陽の画像と操作キーの照明を関係付けたイメージ及び回転角度を示し、（ａ）はカメラ画像の説明図、（ｂ）は操作キーの照明状態の説明図、（ｃ）は回転角度の説明図である。
【図６】図１の携帯端末装置において太陽電池の向きを調整する処理の手順を示すフローチャートである。
【図７】（ａ）〜（ｇ）は、回転角度θと開放角度αの微調整を行った際に、操作キーの照明が推移する様子を示す、操作キーの照明状態の説明図である。
【図８】フィルタが挿入されていない状態のカメラ周辺部の構造を概略的に説明する斜視図である。
【図９】太陽電池の発電量と角度ずれの関係をグラフで示す説明図である。
【符号の説明】
【００３１】
１０  携帯端末装置
１１  表示部側筐体
１２  キー側筐体
１３  ヒンジ部
１４  表示部
１５  キー操作部
１６  太陽電池
１７  カメラ
１８  アンテナ部
１９  無線部
２０  メモリ部
２１  制御部
２２  開放角度検知部
２３  入力操作部
２４  フィルタ部
２５  ＬＥＤ照明部
２６  フィルタ挿入制御部
２７  カメラモジュール
２８  磁性デバイス
２９  回路基板
３０  フィルタ
３１  ガイドレール
【図１】
2008085797.tif 000003
【図２】
2008085797.tif 000004
【図３】
2008085797.tif 000005
【図４】
2008085797.tif 000006
【図５】
2008085797.tif 000007
【図６】
2008085797.tif 000008
【図７】
2008085797.tif 000009
【図８】
2008085797.tif 000010
【図９】
2008085797.tif 000011